(57)【要約】    【課題】竿保持具による安定的な保持及び快適なアクション操作を実現する釣竿の提供。    【解決手段】この釣竿１０は、釣竿本体１３と石突２１とを備える。石突２１は、竿保持具が係合する係合凹部３１を備える。石突２１は、姿勢変化機構ＳＨを介して釣竿本体１３に連結されている。姿勢変化機構ＳＨは、石突２１の姿勢変化を許容する。石突２１は、上面３０が上に向く第１姿勢と上面３０が下に向く第２姿勢との間で姿勢変化する。常時において石突２１は、弾性部材により第２姿勢となるように付勢されている。石突２１の下面には弾性板２６が設けられており、湾曲面２９が形成されている。【選択図】図２
2005151922.tif 000002
【特許請求の範囲】
【請求項１】
釣竿本体と、
釣竿本体の後端に設けられ、上面に竿保持具が係合する係合凹部が形成されると共に下面と後端面とが滑らかな曲面で連続された石突と、
石突を釣竿本体の長手方向を中心にして回転可能に支持することによって当該石突の釣竿本体に対する姿勢変化を許容する姿勢変化機構とを備えた釣竿。
【請求項２】
釣用リールが載置される載置面が形成された釣竿本体と、
釣竿本体の後端に設けられ、上面に竿保持具が係合する係合凹部が形成されると共に下面と後端面とが滑らかな曲面で連続された石突と、
石突を当該石突の上面が上記載置面が形成された側に向く第１姿勢と上記載置面が形成された側と反対側に向く第２姿勢との間で姿勢変化可能に支持する姿勢変化機構とを備えた釣竿。
【請求項３】
上記石突の下面側部分は、弾性体からなる請求項２に記載の釣竿。
【請求項４】
上記姿勢変化機構は、
釣竿本体の後端又は上記石突の前端のいずれか一方に設けられた嵌合凹部と、釣竿本体の後端又は上記石突の前端のいずれか他方に設けられた嵌合軸部とを備え、嵌合凹部と嵌合軸部とが相対回転可能に嵌合されている請求項２又は３に記載の釣竿。
【請求項５】
石突が常時上記第２姿勢となるように当該石突を弾性付勢する付勢機構がさらに備えられている請求項２ないし４のいずれかに記載の釣竿。
【請求項６】
上記付勢機構は、上記釣竿本体と上記石突との間に介在された弾性部材からなる請求項５に記載の釣竿。
【発明の詳細な説明】
【技術分野】
【０００１】
本発明は、釣竿、特に石鯛竿等大型の魚をターゲットとする釣竿の構造に関する。
【背景技術】
【０００２】
磯釣りにおいて、石鯛等、特に大型の魚がターゲットとなる場合は、魚の大きな泳力に対応して専用設計された釣竿及び釣用リールが使用され、釣法も独特のものが採用される（例えば、特許文献１及び非特許文献１参照）。
【０００３】
図８は、例えば石鯛釣りにおける一般的な道具建てを模式的に示す図である。
同図が示すように、石鯛釣りでは、一般に釣竿１は、その後端部分が竿保持具２により固定され、仕掛けが海中に投入される。竿保持具２は、通常、釣り場３（磯等）にハーケン等により強固に固定され、釣竿１の石突４は、竿保持具２に係合して支持反力を負担する。仕掛けに魚がコンタクトした場合は、釣竿１の先端部５が湾曲され、これにより、釣人は、魚のコンタクト（いわゆる「アタリ」）を確認する。その後釣人は、釣針を魚に確実にフッキングするために、釣竿１を手に持ち、大きく振り上げる。
【０００４】
図９は、魚が仕掛けに掛かったときの釣人のアクションの要領を示す図である。
同図が示すように、釣人６は、釣竿１の石突４を腰ないし下腹部に当接させ、一方の手で釣竿１を把持すると共に他方の手で釣用リール７を回転させる。このとき、魚の泳力が大きいため、石突４は釣人側に強く押し付けられる。
【０００５】
【特許文献１】特開２００１−５７８３０号公報
【非特許文献１】株式会社シマノ  2003-2004 ISO Fishing Tackle Catalogue（第４５〜４８頁）
【発明の開示】
【発明が解決しようとする課題】
【０００６】
ところで、従来の釣竿１では、石突４は、竿保持具２と確実に係合すること、及びいわゆるアタリがあったときでも、そのときに生じる支持反力に十分に対抗することができる強度を確保すること等を目的としてその材質や形状等が決定されている。具体的には、石突４は、プライウッド等の硬質の木材により矩形の平板状に形成され、竿保持具２が嵌め込まれる凹部８が設けられている。そのため、魚の泳力が大きい場合には、これに起因して石突４が非常に強く釣人の身体に押し付けられ、釣人にとっては、痛みを感じる場合がある等、アクション時の負担が大きいという不都合があった。
【０００７】
この不都合が解消されるためには、石突４が柔らかい材料で構成されればよい。しかし、前述のように、石突４は、竿保持具２と係合して釣竿１を確実に固定しなければならないところ、石突４が柔らかい材料で構成された場合は、釣竿１が安定的に保持されなくなるという新たな問題が生じる。また、上記不都合が緩和されるためには、石突４の外周面が角部のない滑らかなものに形成されればよい。しかし、石突４には上記凹部８が形成される必要があることから、石突４が角部のない滑らかな周面形状に形成されるためには、設計上困難が多い。すなわち、石突４の外周面が滑らかな曲面に形成された場合は、上記凹部８は、竿保持具２と確実に係合するために必要な形状が確保されにくいという問題がある。
【０００８】
そこで、本発明の目的は、竿保持具を介して釣竿を安定的に保持することができると共に、アクション時に釣人が快適に操作することができる釣竿を提供することである。
【課題を解決するための手段】
【０００９】
(1) 上記目的が達成されるため、本発明に係る釣竿は、釣竿本体と、釣竿本体の後端に設けられ、上面に竿保持具が係合する係合凹部が形成されると共に下面と後端面とが滑らかな曲面で連続された石突と、石突を釣竿本体の長手方向を中心にして回転可能に支持することによって当該石突の釣竿本体に対する姿勢変化を許容する姿勢変化機構とを備えたことを特徴とするものである。
【００１０】
この構成によれば、石突は、姿勢変化機構を介して釣竿本体の長手方向を中心として回転することができる。したがって、仕掛けが海中に投入され、釣人がいわゆる魚のアタリを待つ状態においては、釣人は、石突の上面を上に向けて係合凹部と竿保持具とを係合させることができる。そして、フッキングに続くアクション時においては、釣人は、石突を回転させてその下面を上に向け、その状態の石突を腰ないし下腹部に当接させることができる。このとき、石突の下面と後端面とは、滑らかな曲面で連続されているから、釣人は、石突が身体に強く押圧されたとしても、痛み等を感じることがなく、快適なアクションを行うことができる。
【００１１】
(2) また、上記目的が達成されるため、本発明に係る釣竿は、釣用リールが載置される載置面が形成された釣竿本体と、釣竿本体の後端に設けられ、上面に竿保持具が係合する係合凹部が形成されると共に下面と後端面とが滑らかな曲面で連続された石突と、石突を当該石突の上面が上記載置面が形成された側に向く第１姿勢と上記載置面が形成された側と反対側に向く第２姿勢との間で姿勢変化可能に支持する姿勢変化機構とを備えたことを特徴とするものである。
【００１２】
この構成によれば、姿勢変化機構により、釣人は、所望時に石突を第１姿勢又は第２姿勢に相互に姿勢変化させることができる。石突が第１姿勢となったときは、石突の上面が釣用リール側に配置されるので、釣人は、石突の係合凹部と竿保持具とを係合させることができる。すなわち、この状態では、仕掛けが海中に投入され、釣人は、いわゆる魚のアタリを待つことになる。そして、フッキングに続くアクション時においては、釣人は、石突を第２姿勢に姿勢変化させて石突の下面を釣用リール側に向け、その状態の石突を腰ないし下腹部に当接させることができる。このとき、石突の下面と後端面とは、滑らかな曲面で連続されているから、釣人は、石突が身体に強く押圧されたとしても、痛み等を感じることがなく、快適なアクションを行うことができる。
【００１３】
ここで、上記石突の下面側部分は、弾性体から構成されているのが好ましい。この構成では、アクション時において、石突の釣人の身体に押圧される部分が柔らかい材質で構成されることになるので、釣人は、石突が身体に強く押圧されたとしても、痛み等を感じることがなく、一層快適なアクションを行うことができる。しかも、石突の下面側部分が弾性体により構成されるので、石突の上面側部分、すなわち上記係合凹部が形成される部分は、硬質の材料から構成される。したがって、石突と竿保持具とは確実に係合することができ、釣竿は、安定的に保持され得る。
【００１４】
また、上記姿勢変化機構は、釣竿本体の後端又は上記石突の前端のいずれか一方に設けられた嵌合凹部と、釣竿本体の後端又は上記石突の前端のいずれか他方に設けられた嵌合軸部とを備え、嵌合凹部と嵌合軸部とが相対回転可能に嵌合されることによって構成され得る。この場合、石突の嵌合軸部が釣竿本体の嵌合凹部に対して相対回転することにより、上記第１姿勢と第２姿勢との間で自在に姿勢変化が可能である。しかも、予め第１姿勢及び第２姿勢の位置が決定されているから、釣人は、石突を単純に回転させるだけで簡単に石突の姿勢を変えることができる。
【００１５】
(3) 石突が常時上記第２姿勢となるように当該石突を弾性付勢する付勢機構がさらに備えられているのが好ましい。この構成では、釣人は、付勢機構による弾性付勢力に抗して石突を第１姿勢に変化させた状態で、当該釣竿を竿保持具にセットすることができる。そして、フッキング時に釣竿が竿保持具から取り外された瞬間に付勢機構によって石突が第２姿勢へと自動的に姿勢変化する。したがって、釣人は、フッキング時に石突の姿勢を積極的に変化させる必要がないという利点がある。上記付勢機構は、上記釣竿本体と上記石突との間に介在された弾性部材（例えば渦巻きバネ、コイルバネのほかゴムバンド等）により簡単に構成され得る。
【発明の効果】
【００１６】
以上のように本発明によれば、石突が姿勢変化することによって、アタリを待つ状態においては確実且つ安定的に釣竿が保持され、アクション時においては、釣人は、自己の身体に負担を強いることなく円滑な釣竿操作が可能である。
【発明を実施するための最良の形態】
【００１７】
以下、適宜図面が参照されつつ、好ましい実施形態に基づいて本発明が詳細に説明される。
【００１８】
＜第１の実施形態＞
図１は、本発明の第１の実施形態に係る釣竿１０の正面図である。同図では、釣竿１０が釣り場１１（磯等）の所定位置において、竿保持具１２によって略水平に保持されている状態が示されている。
【００１９】
この釣竿１０は、ターゲットとなる魚が石鯛等である大型魚専用竿であって、釣竿本体１３に両軸受けタイプの釣用リール１４が装着されている。釣用リール１４から繰り出された釣糸１５の先端には仕掛け（図示せず）が組み付けられており、当該仕掛けは、海中に投入されている。釣竿１０は、予め釣糸１５に所定の張力が発生するようにセットされている。釣人は、同図に示すように釣竿１０を配置し、魚のコンタクトを待つ。魚のコンタクトがあったときは、釣竿１０の先端部１６がさらに湾曲し振動するので、釣人は、これを魚のアタリとして把握する。
【００２０】
釣竿本体１３は、複数の節と呼ばれる部材から構成されており、各節は、本実施形態では、いわゆる並継形式により継がれている。釣竿本体１３を構成する各節は、円筒棒状に形成されている。各節は、既知の要領で構成される。例えば、カーボンプリプレグが所定形状に裁断され、これが筒状に巻回されることによって、各節が形成される。なお、各節の継形式は、並継に限定されるものではなく、いわゆる振出形式等、既知の継形式が採用され得る。
【００２１】
上記釣用リール１４が装着される節は、特に元節と称される。この元節には、同図では図示されていないが、螺旋ループ状の溝が設けられている。この溝が設けられることにより、釣人は、釣竿本体１３を確実に把持することができる。また、元節の後端には、石突２１が設けられている。この石突２１は、木材、樹脂、金属等により構成され、同図が示すように釣竿１０がセットされるために、上記竿保持具１２が当接する部材である。
【００２２】
本実施形態の特徴とするところは、元節への石突２１の取付構造にあり、具体的には、石突２１が後述される要領で元節の後端に配置され、且つ後述される姿勢変化機構ＳＨにより姿勢変化が可能となっている点である。これにより、釣人がアタリを待つ状態（同図が示すように釣竿１０が保持されている状態）と、魚が仕掛けに掛かった後のアクション時とにおいて、石突２１の向きが変更され、釣人は、快適にアクション動作を行うことができるようになっている。
【００２３】
元節には、シールシート１８が設けられている。リールシート１８は、釣用リール１４を釣竿本体１３に固定するためのものであり、釣用リール１４が載置される載置面ＳＰが形成されている。この載置面ＳＰは、釣竿１０が竿保持具１２によって保持される状態において、上方を向くように設けられている。したがって、図１が示すように、釣用リール１４は、この載置面ＳＰに載置された状態で確実に釣竿本体１３に固定される。また、釣竿本体１３には、所要の位置に釣糸ガイド１９が配設されている。釣糸１５は、これら釣糸ガイド１９に支持され、釣竿本体１３に沿って送られるようになっている。
【００２４】
竿保持具１２は、いわゆるモーメント釣合タイプのものであって既知の構造を備えている。本実施形態では、釣竿本体１３は、リールシート１８の後方部分２０及び石突２１が竿保持具１２によって支持されている。具体的には、上記リールシート１８の後方部分２０が竿保持具１２の前支持部２３の上に載置され、上記石突２１の上面２２が竿保持具１２の後支持部２４に当接している。
【００２５】
すなわち、釣竿本体１３が上記前支持部２３の上に載置されることによって、リールシート１８の後方部分２０が上記前支持部２３により鉛直下方から上向きに支持され、当該前支持部２３を支点として釣竿本体１３の自重等に基づくモーメント（図中左回りのモーメント）が発生する。同時に、後支持部２４が上記石突２１の上面２２に当接することによって、石突２１が上記後支持部２４により鉛直上方から下向きに支持される。つまり、上記前支持部２３に支点反力Ｒ１が生じると共に後支持部２４に支持反力Ｒ２が生じる。この支持反力Ｒ２によって、上記モーメントと釣り合う反モーメントが生じ、その結果、釣竿１０は、同図が示すように、略水平に保持される。換言すれば、釣竿１０及び竿保持具１２によって、釣り合いが保たれた「てこ」が構成されており、上記前支持部２３が支点を構成し、釣用リール１４等が装着された釣竿１０全体の重心が作用点を構成し、上記後支持部２４が力点を構成している。
【００２６】
図２は、釣竿１０が竿保持具１２にセットされた状態での要部拡大斜視図であり、石突２１が設けられた部分が詳細に図示されている。また、図３は、釣竿１０の要部拡大断面図であり、上記姿勢変化機構ＳＨの構造が詳細に図示されている。これらの図が示すように、石突２１は、姿勢変化機構ＳＨを介して釣竿本体１３に連結されている。
【００２７】
石突２１は、石突本体２５と、これに設けられた弾性板２６とを備えている。石突本体２５は、本実施形態では、プライウッド等の木材により構成されている。もっとも、石突本体２５は、樹脂や金属等により構成されていてもよい。一方、上記弾性板２６は、本実施形態では、所定の肉厚寸法（０．５ｍｍ〜５ｍｍ）の矩形状ゴム板からなる。この弾性板２６は、石突本体２５の下面側に設けられている。弾性板２６は、例えば接着剤等により貼り付けられており、弾性板２６の表面が石突本体２５の下面２７を形成している。
【００２８】
本実施形態では、石突本体２５の下面２７と後端面２８とは、滑らかな湾曲面２９により連続している。この湾曲面２９は、例えば円弧状に形成され、その曲率半径（いわゆるＲ寸法）は、５ｍｍ〜３０ｍｍに設定される。また、石突本体２５の上面３０には、係合凹部３１が設けられている。この係合凹部３１は、図２が示すように、石突本体２５の幅方向に延びる溝により構成されており、その幅寸法は、竿保持具１２（図１参照）が確実に嵌め込まれる値に設定されている。
【００２９】
なお、石突本体２５は、前方から後方側に向かって、滑らかに扁平されており、上面３０は、略平坦面に形成されている。これは、竿保持具１２の後支持部２４（図１参照）が確実に係合凹部３１と係合するためである。また、石突本体２５の上面３０と後端面２８との境界部分（角部）も湾曲面に形成されていてもよい。この場合、当該境界部分は、いわゆるＲ加工が施され、その寸法は、１．０ｍｍ≦Ｒ≦５．０ｍｍ程度に設定され得る。
【００３０】
次に、姿勢変化機構ＳＨは、図３が示すように、石突保持部３２と、弾性体収容部３３及びこれに収容された渦巻きバネ３４と、元節保持部３５とを備えている。石突保持部３２は、弾性体収容部３３及び元節保持部３５に対して回転可能に配置されている。上記石突２１が石突保持部３２に保持され、上記釣竿本体１３（元節）が元節保持部３５に保持されることによって、石突２１は、釣竿本体１３に対して回転可能となっている。具体的には、石突２１は、図２が示すように、石突本体２５の上面３０が上方に向く姿勢、すなわち当該上面３０が釣竿本体１３の釣用リール１４が設けられた側に向く姿勢（第１姿勢）と、石突本体２５の上面３０が下方に向く姿勢、すなわち、図２において、石突本体２５の下面２７が上方に向く姿勢（第２姿勢）との間で、姿勢変化が可能となっている。
【００３１】
図４及び図５は、それぞれ、図３におけるIV−IV断面図及びV−V断面図である。
図３及び図５が示すように、石突保持部３２は、筒状部３６と、嵌合軸部３７とを備えている。石突本体３２は、例えばアルミニウム等の金属により構成される。筒状部３６は、有底円筒状に形成されており、上記石突本体２５が嵌め込まれて固定されている。石突本体２５の固定方法は種々考えられるが、本実施形態では、石突本体２５の前端部３８が円柱状に形成され、当該前端部３８が上記筒状部３６に接着剤等を介して嵌め込まれている。
【００３２】
嵌合軸部３７は、いわゆる段付きの軸として構成されている。嵌合軸部３７は、座部３９と、大径部４０と、小径部４１とを備えており、これらは、上記筒状部３６と一体的に形成されている。座部３９は、薄肉円板状に形成され、その中央に円柱状の大径部４０が設けられている。この大径部４０には、キー４２が設けれている。キー４２は、大径部４０と一体的に形成されていてもよいし、別部材として構成され、それが大径部４０に嵌め込まれていてもよい。また、大径部４０の中央には、円柱状の小径部４１が設けられている。この小径部４１は、元節保持部３５を貫通しており、リテーナ４３等によって抜け止めがなされている。これにより、嵌合軸部３７は、弾性体収容部３３は及び元節保持部３５から外れてしまうことはない。
【００３３】
弾性体収容部３３は、元節保持部３５と共に元節の後端部６４に設けられている。弾性体収容部３３は、例えばアルミニウム等の金属により構成され、全体として円筒状に形成されている。弾性体収容部３３は、小径孔４４（嵌合凹部）及び大径孔４５を備えており、これらが連続している。この小径孔４４の内径寸法は、上記大径部４０の外形寸法に対応されており、この大径部４０が小径孔４４に隙間なく嵌め込まれている。なお、両者は、所定のはめあい精度により嵌め合わされており、大径部４０は、小径孔４４内で軸方向を中心として回転可能となっている。
【００３４】
この小径孔４４には、キー溝４６が設けられており、上記大径部４０のキー４２がキー溝４６に嵌め込まれている。そして、このキー溝４６は、図５が示すように、小径孔４４の内壁面に沿って円弧状に形成されており、これにより、大径部４０は、軸方向を中心として１８０°回転することができる。換言すれば、キー溝４６が半円形に形成されることによって、キー４２は、キー溝４６に対して相対的に１８０°のみスライドすることができ、キー溝４６の端部は、キー４２のスライド動作の限界を規定するストッパーの役目を果たす。
【００３５】
一方、大径孔４５には、上記渦巻きバネ３４（付勢機構）が収容されている。つまり、この大径孔４５は、渦巻きバネ３４のハウジングとして機能する。渦巻きバネ３４は、図４が示すように、例えば薄肉帯状のバネ鋼が渦巻き状に湾曲されることにより構成されている。渦巻きバネ３４の一端部４８（内端部）は、上記嵌合軸部３７が小径部４１に固定され、他端部４９（外端部）は、大径孔４５の内壁面４７に固定されている。したがって、小径部４１は、通常は、図４において右回りに回転するように弾性付勢されている。つまり、図２において、石突本体２５は、矢印５０に示す方向に弾性的に回動付勢されている。
【００３６】
図２は、前述のように釣竿１０が竿保持具１２にセットされた状態であり、このときの石突２１の姿勢が上記第１姿勢である。ただし、常時においては（すなわち、釣竿１０が竿保持具１２にセットされない状態においては）、渦巻きバネ３４の弾性力によって石突２１が矢印５０の方向に回動し、石突本体２５の下面２７が上方を向く。そのときの石突２１の姿勢が上記第２姿勢である。そして、この第２姿勢から、釣人が任意に石突本体２５を矢印５０と逆方向に回転させることによって、石突本体２５は、最大で１８０°だけ回転し、このとき石突２１は、上記第１姿勢となる。
【００３７】
元節保持部３５は、図３が示すように有底円筒状に形成されており、例えばアルミニウム等の金属により構成されている。前述のように、元節保持部３５の底部には、貫通孔が設けられており、この貫通孔に上記嵌合軸部３７の小径部４１が挿通されている。元節保持部３５には、釣竿本体１３（元節）が挿入されている。本実施形態では、元節保持部３５の内壁面には段部５１が形成されている。この段部５１は、釣竿本体１３の座部を構成しており、釣竿本体１３の後端部がこの段部５１に当接されている。釣竿本体１３と元節保持部３５とは、例えば接着剤等により互いに固着されている。
【００３８】
また、元節保持部３５は、軸方向に沿って外径が縮径されており、これにより、釣竿本体１３が嵌め込まれた状態で、釣竿本体１３の周面と元節保持部３５の周面とは、滑らかに連続している。さらに、元節保持部３５は、ねじ５２によって弾性体収容部３３に締結されている。本実施形態では、４本のねじ５２が採用されているが、ねじ５２の本数は、何ら限定されない。
【００３９】
本実施形態に係る釣竿１０は、次のようにして磯１１にセットされる。
図１が示すように、まず、竿保持具１２が磯１１に固定される。釣人は、仕掛けを海中に投入し、釣竿１０を竿保持具１２によって保持する。具体的には、リールシート１８の後方部分２０が竿保持具１２の前支持部２３の上に載置され、竿保持具１２の後支持部２４が石突２１の上方から当接する。このとき、石突２１は、常時は上記第２姿勢となっているが、姿勢変化機構ＳＨを介して釣竿本体１３に連結されているから、釣人は、石突２１を矢印５０と反対方向に回転させることができる。これにより、図２が示すように、石突本体２５の上面３０が上方を向き（石突２１が第１姿勢となり）、上記後支持部２４が係合凹部３１に嵌め込まれる。釣人は、釣竿１０をこのように配置し、魚のアタリを待つ。
【００４０】
この状態で魚のコンタクトがあった場合は、釣竿１０の先端部１６が湾曲する。釣人は、アタリを確信した後にフッキング動作を行うが、このとき、釣竿１０が竿保持具１２から取り外される。これにより、竿保持部１２が石突２１から外れ、その結果、石突２１は、上記第２姿勢へと姿勢変化する。すなわち、石突本体２５の下面２７が上方を向く。その後、釣人は、石突２１を腰ないし下腹部に当接させてアクション動作を行う。このとき、石突本体２５の下面２７が釣人の身体と当接する。図２が示すように、石突本体２５の下面２７と後端面２８とは、滑らかな湾曲面２９で連続されているから、釣人は、石突２１が身体に強く押圧されたとしても、痛み等を感じることがなく、快適なアクションを行うことができる。
【００４１】
特に、石突本体２５の下面２７は弾性板２６から構成されているので、石突２１の釣人の身体に押圧される部分は、柔らかい材質で形成されていることになる。したがって、釣人は、石突２１が身体に強く押圧されたとしても、痛み等を感じることがなく、一層快適なアクションを行うことができるという利点がある。しかも、石突本体２５の下面２７側部分のみが弾性板により構成されるので、石突本体２５の上面３０側部分は可撓性を有しない。すなわち、石突本体２５の上記係合凹部３１が形成される部分は、硬質の材料から構成されるので、石突２１と竿保持具１２とは確実に係合することができ、アタリを待つ状態において釣竿１０は、安定的に保持されるという利点がある。なお、本実施形態では、上記弾性板２６が設けられているが、これが省略されてもよいことは勿論である。
【００４２】
また、本実施形態では、上記姿勢変化機構ＳＨは、上記弾性体収容部３３に設けられた小径孔４４と、これに回動自在に嵌合された嵌合軸部３７とにより構成されているので、構造がきわめて簡単である。そして、嵌合軸部３７が小径孔４４に対して相対回転することによって石突２１の姿勢が変化するので、石突２１の姿勢変化がきわめて滑らかであるという利点もある。
【００４３】
加えて、本実施形態では、図５が示すように、嵌合軸部３７に設けられたキー４２が小径孔４４に設けられたキー溝４６に嵌め込まれ、しかもキー溝４６が半円形に形成されることによって、石突２１は、その姿勢変化において第１姿勢及び第２姿勢に位置決めされる。したがって、釣人が石突２１を回転させる際に、石突２１の過渡的な姿勢に注意することなく、単に回転させるだけで石突２１を正確に第１姿勢又は第２姿勢とすることができる。
【００４４】
なお、本実施形態では、石突２１側に嵌合軸部３７が備えられ、釣竿本体１３側に嵌合軸部３７と嵌合する小径孔４４が設けられているが、これらが逆に配置されていてもよい。また、石突２１の位置決め（姿勢の決定）のために上記キー４２及びキー溝４６が採用されているが、これらが省略されてもよいことは勿論である。
【００４５】
さらに、本実施形態では、渦巻きバネ３４によって石突２１が常時第２姿勢となるように付勢されているので、釣人は、石突２１を回転させて第１姿勢としたうえで釣竿１０を竿保持具１２にセットするが、フッキング動作時に釣竿１０を竿保持具から外した瞬間に石突２１は第２姿勢へと自動的に姿勢変化する。したがって、釣人は、フッキング時に石突２１の姿勢を積極的に変化させる必要がなく、釣竿１０の使い勝手が非常に良いという利点がある。特に、石突２１を付勢するために上記渦巻きバネ３４が採用されているので、当該付勢機構の構造がきわめて簡単であるという利点もある。なお、当該付勢機構が省略されてもよいことは勿論である。
【００４６】
＜第２の実施形態＞
次に、本発明の第２の実施形態について説明される。
図６は、本発明の第２の実施形態に係る釣竿６０の要部拡大斜視図であり、石突２１が設けられた部分が詳細に図示されている。
【００４７】
本実施形態に係る釣竿６０が上記第１の実施形態に係る釣竿１０と異なるところは、石突２１を第２姿勢に付勢するための構造である。すなわち、上記釣竿１０では、図３が示すように、渦巻きバネ３４により石突２１が弾性付勢されていたのに対し、本実施形態に係る釣竿６０では、図６が示すように、帯状のゴム６１により石突２１が第２姿勢に保持されるようになっている。なお、釣竿６０のその他の構成については、上記釣竿１０と同様である。
【００４８】
帯状のゴム６１は、その両端部が石突保持部３２及び弾性体収容部３５に固定されている。本実施形態では、ゴム６１は、ピン６２、６３により固定されているが、接着剤等他の既知の手段が採用され得ることは勿論である。釣人は、図６が示す状態から石突２１を右方向に回転させることによって、石突２１は図７が示す状態となる。すなわち、石突保持部３２が弾性体収容部３５に対して相対回転し、ピン６３がピン６２に対して相対的に離反する。これにより、ゴム６１が引き延ばされ、図７が示すように、弾性体収容部３５及び石突保持部３２に巻き付いた状態となる。このとき、石突２１は、ゴム６１の弾性力によって、矢印５０の方向に付勢されている。
【００４９】
釣人は、石突２１を図７が示す姿勢（第１姿勢）としたうえで釣竿６０を竿保持具１２（図１参照）にセットし、アタリを確認したときに釣竿６０を竿保持具１２から取り外す。これにより、石突２１は、図６に示す姿勢（第２姿勢）に姿勢変化する。したがって、本実施形態に係る釣竿６０においても、第１の実施形態に係る釣竿１０と同様の作用効果を奏する。
【産業上の利用可能性】
【００５０】
本発明は、石突を備えた大型の魚をターゲットとする釣竿に適用され得る。
【図面の簡単な説明】
【００５１】
【図１】図１は、本発明の第１の実施形態に係る釣竿の正面図である。
【図２】図２は、本発明の第１の実施形態に係る釣竿が竿保持具にセットされた状態での要部拡大斜視図である。
【図３】図３は、本発明の第１の実施形態に係る釣竿の要部拡大断面図である。
【図４】図４は、図３におけるIV−IV断面図である。
【図５】図５は、図３におけるV−V断面図である。
【図６】図６は、本発明の第２の実施形態に係る釣竿の要部拡大斜視図である。
【図７】図７は、本発明の第２の実施形態に係る釣竿の要部拡大斜視図である。
【図８】図８は、石鯛釣りにおける一般的な道具建てを模式的に示す図である。
【図９】図９は、魚が仕掛けに掛かったときの釣人のアクションの要領を示す図である。
【符号の説明】
【００５２】
ＳＨ・・・姿勢変化機構
ＳＰ・・・載置面
１０・・・釣竿
１２・・・竿保持具
１３・・・釣竿本体
１４・・・釣用リール
１８・・・リールシート
２１・・・石突
２２・・・上面
２４・・・後支持部
２５・・・石突本体
２６・・・弾性板  
２７・・・下面
２８・・・後端面
２９・・・湾曲面
３０・・・上面
３１・・・係合凹部
３２・・・石突保持部
３３・・・弾性体収容部
３４・・・渦巻きバネ
３５・・・元節保持部
３６・・・筒状部
３７・・・嵌合軸部
３８・・・端部
４０・・・大径部
４１・・・小径部
４２・・・キー
４４・・・小径孔
４５・・・大径孔
４６・・・キー溝
４７・・・内壁面
４８・・・一端部
４９・・・他端部
６０・・・釣竿
６１・・・ゴム
６２・・・ピン
６３・・・ピン
【図１】
2005151922.tif 000003
【図２】
2005151922.tif 000004
【図３】
2005151922.tif 000005
【図４】
2005151922.tif 000006
【図５】
2005151922.tif 000007
【図６】
2005151922.tif 000008
【図７】
2005151922.tif 000009
【図８】
2005151922.tif 000010
【図９】
2005151922.tif 000011